(57)【要約】【課題】給湯器の連結部及び浴槽用循環具の接続部に対する往き配管及び戻り配管の接続を正確に行うことができる配管接続部材を提供する。【解決手段】浴槽３の側壁１２に貫通された状態で取付けられる浴槽用循環具１１の一対の往き側接続部４ａ及び戻り側接続部４ｂと、浴槽３の外部に位置する給湯器７の一対の往き側連結部８ａ及び戻り側連結部８ｂとが給湯器７から加熱水を送り出す往き配管５及び給湯器７へ浴槽水を戻す戻り配管６で接続される。そして、浴槽用循環具１１の一対の往き側接続部４ａ及び戻り側接続部４ｂ、給湯器７の一対の往き側連結部８ａ及び戻り側連結部８ｂ、さらには往き配管５及び戻り配管６には、往き又は戻りであることを示す表示部１０が設けられている。【選択図】図４
2009228963.tif 000002
【特許請求の範囲】
【請求項１】
浴槽の側壁に貫通された状態で取付けられる浴槽用循環具の一対の接続部と、浴槽の外部に位置する給湯器の一対の連結部とが給湯器から加熱水を送り出す往き配管及び給湯器へ浴槽水を戻す戻り配管で接続され、加熱水と浴槽水とが一定方向へ循環されるように構成するための配管接続部材であって、
前記浴槽用循環具の一対の接続部の少なくとも一方、給湯器の一対の連結部の少なくとも一方、さらには往き配管及び戻り配管の少なくとも一方には、往き又は戻りであることを示す表示部を備えることを特徴とする配管接続部材。
【請求項２】
前記浴槽用循環具の一対の接続部、給湯器の一対の連結部並びに往き配管及び戻り配管について、往き側及び戻り側の少なくとも一方に往き又は戻りであることを示す表示部を備えることを特徴とする請求項１に記載の配管接続部材。
【請求項３】
前記浴槽用循環具の一対の接続部、給湯器の一対の連結部並びに往き配管及び戻り配管の全てについて、往き又は戻りであることを示す表示部を備えることを特徴とする請求項１又は請求項２に記載の配管接続部材。
【請求項４】
前記表示部は、往き又は戻りであることを色で示すＣリングであることを特徴とする請求項１から請求項３のいずれか１項に記載の配管接続部材。
【請求項５】
前記表示部は、文字若しくは記号又は往き若しくは戻りであることを色で示す線であることを特徴とする請求項１から請求項３のいずれか１項に記載の配管接続部材。
【請求項６】
前記浴槽用循環具の一対の接続部及び給湯器の一対の連結部の表示部は、往き又は戻りであることを色で示すＣリングであると共に、往き配管及び戻り配管の表示部は、文字若しくは記号又は往き若しくは戻りであることを色で示す線であることを特徴とする請求項１から請求項３のいずれか１項に記載の配管接続部材。
【発明の詳細な説明】
【技術分野】
【０００１】
本発明は、浴槽の側壁に取付けられる浴槽用循環具の一対の接続部と、給湯器の一対の連結部とが、給湯器から加熱水が送り出される往き配管及び給湯器へ浴槽水が戻る戻り配管で接続され、加熱水と浴槽水とが一定方向へ循環されるように構成するための配管接続部材に関するものである。
【背景技術】
【０００２】
この種の浴槽用循環具としては、いわゆる有極性のものと無極性のものとが知られている。有極性の浴槽用循環具は、施工時に給湯器の往き配管を浴槽用循環具の往き側接続口に接続し、給湯器の戻り配管を浴槽用循環具の戻り側接続口に接続しなければならないタイプのものである。一方、無極性の浴槽用循環具は、給湯器の往き配管及び戻り配管を浴槽用循環具の往き側及び戻り側のどちらに接続しても浴槽水の循環ができるタイプのものである。
【０００３】
有極性の浴槽用循環具としては、例えば給湯通路と戻り通路とを形成した強制循環金具であって、この強制循環金具の給湯通路を螺旋状に形成したものが知られている（例えば特許文献１を参照）。すなわち、この強制循環金具においては、筒体の内周側に給湯器からの加熱水（湯水）が供給される給湯通路が形成され、外周側に浴槽内の浴槽水が給湯器へ送り出される戻り通路が形成され、前記給湯通路内に螺旋部材が配設されている。
【特許文献１】実開平３−７０１２７号公報（第１頁及び第２頁）
【発明の開示】
【発明が解決しようとする課題】
【０００４】
前記特許文献１に記載されている浴槽用循環具は有極性であることから、施工時に給湯器からの往き配管を浴槽用循環具の往き側接続口に接続し、給湯器への戻り配管を浴槽用循環具の戻り側接続口に間違いなく接続しなければならない。しかしながら、一般に往き配管と戻り配管とは同じ配管が使用され、給湯器の接続部（連結部）である一対の継手も同じ継手が使用されると共に、浴槽用循環具の往き側接続口及び戻り側接続口を構成する継手も同じ継手が使用される。
【０００５】
このため、例えば浴槽用循環具の一対の配管接続（屋内側）と給湯器の一対の接続部の配管接続（屋外側）とが異なる時期に行われる場合や、浴槽用循環具の一対の配管接続（屋内側）と給湯器の一対の接続部の配管接続（屋外側）とを行う施工者が異なる場合には、往き配管と戻り配管との接続を互い違いに接続してしまうおそれがある。仮に、往き配管の接続と戻り配管の接続を逆にした場合には、浴槽内の浴槽水の温度が所定の温度まで上昇しなかったり、所定の温度まで上昇する時間が極端に長くなったりするという問題があった。このため、往き配管及び戻り配管の施工に際してそれらの接続を間違えることのない構造が求められている。
【０００６】
そこで本発明の目的とするところは、給湯器の連結部及び浴槽用循環具の接続部に対する往き配管及び戻り配管の接続を正確に行うことができる配管接続部材を提供することにある。
【課題を解決するための手段】
【０００７】
上記の目的を達成するために、請求項１に係る発明の配管接続部材は、浴槽の側壁に貫通された状態で取付けられる浴槽用循環具の一対の接続部と、浴槽の外部に位置する給湯器の一対の連結部とが給湯器から加熱水を送り出す往き配管及び給湯器へ浴槽水を戻す戻り配管で接続され、加熱水と浴槽水とが一定方向へ循環されるように構成するためのものである。そして、前記浴槽用循環具の一対の接続部の少なくとも一方、給湯器の一対の連結部の少なくとも一方、さらには往き配管及び戻り配管の少なくとも一方には、往き又は戻りであることを示す表示部を備えることを特徴とする。
【０００８】
請求項２に係る配管接続部材は、請求項１において、前記浴槽用循環具の一対の接続部、給湯器の一対の連結部並びに往き配管及び戻り配管について、往き側及び戻り側の少なくとも一方に往き又は戻りであることを示す表示部を備えることを特徴とする。
【０００９】
請求項３に係る配管接続部材は、請求項１又は請求項２において、前記浴槽用循環具の一対の接続部、給湯器の一対の連結部並びに往き配管及び戻り配管の全てについて、往き又は戻りであることを示す表示部を備えることを特徴とする。
【００１０】
請求項４に係る配管接続部材は、請求項１から請求項３のいずれか１項において、前記表示部は、往き又は戻りであることを色で示すＣリングであることを特徴とする。
請求項５に係る配管接続部材は、請求項１から請求項３のいずれか１項に係る発明において、前記表示部は、文字若しくは記号又は往き若しくは戻りであることを色で示す線であることを特徴とする。
【００１１】
請求項６に係る配管接続部材は、請求項１から請求項３のいずれか１項に係る発明において、前記浴槽用循環具の一対の接続部及び給湯器の一対の連結部の表示部は、往き又は戻りであることを色で示すＣリングであると共に、往き配管及び戻り配管の表示部は、文字若しくは記号又は往き若しくは戻りであることを色で示す線であることを特徴とする。
【発明の効果】
【００１２】
本発明によれば、次のような効果を発揮することができる。
請求項１に係る配管接続部材においては、浴槽の側壁に貫通された状態で取付けられる浴槽用循環具の一対の接続部と、浴槽の外部に位置する給湯器の一対の連結部とが給湯器から加熱水を送り出す往き配管及び給湯器へ浴槽水を戻す戻り配管で接続される。そして、浴槽用循環具の一対の接続部の少なくとも一方、給湯器の一対の連結部の少なくとも一方、さらには往き配管及び戻り配管の少なくとも一方には、往き又は戻りであることを示す表示部を備えている。このため、浴槽用循環具の接続部、給湯器の連結部及び配管のいずれについても、表示部により往き又は戻りであることを認識することができる。従って、給湯器の連結部及び浴槽用循環具の接続部に対する往き配管及び戻り配管の接続を正確に行うことができる。
【００１３】
請求項２の配管接続部材では、前記浴槽用循環具の一対の接続部、給湯器の一対の連結部並びに往き配管及び戻り配管について、往き側及び戻り側の少なくとも一方に往き又は戻りであることを示す表示部を備えている。このため、請求項１に係る発明の効果に加えて、前記接続部、連結部及び配管について、表示部により往き側の系列であること又は戻り側の系列であることを認識することができ、認識性（視認性）を向上させることができる。
【００１４】
請求項３の配管接続部材では、浴槽用循環具の一対の接続部、給湯器の一対の連結部並びに往き配管及び戻り配管の全てについて、往き又は戻りであることを示す表示部を備えている。従って、請求項１又は請求項２に係る発明の効果に加えて、給湯器の連結部及び浴槽用循環具の接続部に対する往き配管及び戻り配管の接続を迷うことなく、速やかに行うことができる。
【００１５】
請求項４の配管接続部材では、表示部は往き又は戻りであることを色で示すＣリングである。このため、請求項１から請求項３のいずれかに係る発明の効果に加えて、表示部としてのＣリングを浴槽用循環具の接続部、給湯器の連結部又は配管に容易に取着することができる。
【００１６】
請求項５の配管接続部材では、表示部は文字若しくは記号又は往き若しくは戻りであることを色で示す線である。従って、請求項１から請求項３のいずれかに係る発明の効果に加えて、表示部の種類により認識性を向上させることができる。
【００１７】
請求項６の配管接続部材では、浴槽用循環具の一対の接続部及び給湯器の一対の連結部の表示部は、往き又は戻りであることを色で示すＣリングであると共に、往き配管及び戻り配管の表示部は、文字若しくは記号又は往き若しくは戻りであることを色で示す線である。このため、請求項１から請求項３のいずれかに係る発明の効果に加えて、浴槽用循環具の接続部及び給湯器の連結部をＣリングの色で認識し、往き配管及び戻り配管を文字、記号又は線の色で認識することができ、認識性を一層向上させることができる。
【発明を実施するための最良の形態】
【００１８】
以下、本発明の最良と思われる実施形態につき、図面に基づいて詳細に説明する。
図４に示すように、浴室１を形成する仕切壁２より内側には浴槽３が配設され、その浴槽３の側壁１２には浴槽用循環具（一口循環口金具）１１が取着されると共に、該浴槽用循環具１１の接続部４として一対の往き側接続部４ａ及び戻り側接続部４ｂには往き配管５及び戻り配管６がそれぞれ接続されている。仕切壁２の外面には給湯器７が取付けられ、該給湯器７の底面には連結部８として一対の往き側連結部８ａ及び戻り側連結部８ｂが設けられると共に、これら往き側連結部８ａ及び戻り側連結部８ｂには往き配管５及び戻り配管６が接続されている。そして、給湯器７で加熱された加熱水は往き側連結部８ａを介して往き配管５から浴槽用循環具１１の往き側接続部４ａを介して浴槽３内へ供給される。浴槽３内の浴槽水は浴槽用循環具１１の戻り側接続部４ｂを介して戻り配管６から給湯器７の戻り側連結部８ｂを経て給湯器７へ戻されるように構成されている。
【００１９】
この場合、浴槽用循環具１１の一対の往き側接続部４ａ及び戻り側接続部４ｂの少なくとも一方、給湯器７の一対の往き側連結部８ａ及び戻り側連結部８ｂの少なくとも一方、さらには往き配管５及び戻り配管６の少なくとも一方には、往き又は戻りであることを示す表示部１０が設けられる。
【００２０】
次に、前記浴槽用循環具１１について詳細に説明する。図２（ａ）及び（ｂ）に示すように、本実施形態の浴槽用循環具１１は、浴槽３の側壁１２に設けられた貫通孔１３に内側から挿入される締付筒体１４と、側壁１２の外部に配設される外部筒体１５と、前記締付筒体１４に挿入固定されるアダプター１６と、該アダプター１６に装着されるフィルターカバー１７とを備えている。本実施形態の浴槽用循環具１１は有極性のものであり、給湯器７からの往き配管５及び給湯器７への戻り配管６（図１（ｂ）を参照）と、浴槽用循環具１１の外部筒体１５に設けられた往き側接続部４ａ及び戻り側接続部４ｂとが各々接続されるようになっている。往き側接続部４ａ及び戻り側接続部４ｂは、それぞれ浴槽用循環具１１の外部筒体１５に一体形成された継手４ｃと、その継手４ｃに螺合されるキャップ６０とより構成されている。往き側接続部４ａの継手４ｃは吐出用開口部３８に連通する接続口２２に接続され、戻り側接続部４ｂの継手４ｃは吸入用開口部３７に連通する接続口２０にそれぞれ接続されている。
【００２１】
前記接続口２２の内周には、Ｏリング２４が嵌め込まれている。外部筒体１５の開口端部内周面には雌ねじ部２５が螺刻されている。外部筒体１５の開口端部にはフランジ部２６が設けられると共に、そのフランジ部２６にはシール材２７が被せられ、側壁１２の外側面との間の水密が確保されている。係る外部筒体１５は黄銅などの金属又はポリフェニレンサルファイド（ＰＰＳ）などの合成樹脂から形成されている。
【００２２】
締付筒体１４はポリアセタール等の合成樹脂により円筒状に形成され、その前端部（図２（ａ）の右端部）にはフランジ２８が突設されている。締付筒体１４の外周面には雄ねじ部２９が螺刻され、その雄ねじ部２９が前記外部筒体１５の雌ねじ部２５に螺合され、締付筒体１４と外部筒体１５とが浴槽３の側壁１２を挟んで連結固定されるようになっている。締付筒体１４の内周面には軸線方向に延びる複数の回り止め突条３０が設けられている。フランジ２８の外周面には環状係合溝３１が凹設されている。該フランジ２８と側壁１２の内側面との間にはゴム製のパッキン３２が挟着され、両者間の水密が確保されている。
【００２３】
アダプター１６はポリアセタール等の合成樹脂により略円筒状に形成され、その前端部の内周面には周方向に延びる図示しない抜け防止爪が突設され、前記締付筒体１４の環状係合溝３１に係合されるようになっている。アダプター１６の中心部には、前記外部筒体１５の中心部に設けられた接続口２２に接続される吐出用通路３４が設けられ、その周囲には外部筒体１５の接続口２０に接続される吸入用通路３５が設けられている。これらの吸入用通路３５と吐出用通路３４との間には、水の流れを仕切る区画壁３６が設けられている。吸入用通路３５の前方には吸入用開口部３７が設けられるとともに、吐出用通路３４の前方にはその方向が９０度変更された吐出用開口部３８が設けられている。アダプター１６の前部には位置決め用の係合突条４０が周方向に複数設けられ、前記締付筒体１４の回り止め突条３０に係合してアダプター１６の周方向への回転が規制されている。
【００２４】
前記アダプター１６の前部にはステンレス鋼製のフィルターカバー１７が装着されている。フィルターカバー１７は有底円筒状をなし、多数の流通孔を有する前面板４５と、その周囲から後方へ延びる周壁板４６とより一体形成されている。周壁板４６の内周面には３箇所にほぼ半球状をなす係合突起４３が突設され、前記アダプター１６に位置合せして嵌め込んでからフィルターカバー１７を周方向に回動させ、フィルターカバー１７をアダプターに係合させるように構成されている。フィルターカバー１７の周壁板４６には図示しない挿通孔が開口され、前記アダプター１６の吐出用開口部３８に連通されている。
【００２５】
図１（ａ）、（ｂ）に示すように、前記往き側接続部４ａの継手４ｃには表示部１０として〇付きの往の文字１０ａが描かれていると共に、キャップ６０の環状溝６０ａには図１（ｃ）に示すような赤色に着色されたＣリング（指示リング）１０ｂが装着されている。このＣリング１０ｂは、ポリプロピレン等の合成樹脂により変形可能に構成されている。一方、戻り側接続部４ｂの継手４ｃには表示部１０として〇付きの戻の文字１０ａが描かれていると共に、キャップ６０の環状溝６０ａには青色に着色されたＣリング１０ｂが装着されている。さらに、往き側接続部４ａの継手４ｃに接続される往き配管５の外周面には、表示部１０として配管の長さ方向に延びる赤色の線（ライン）１０ｃと「イキ」の文字１０ａが描かれている。一方、戻り側接続部４ｂの継手４ｃに接続される戻り配管６の外周面には、表示部１０として配管の長さ方向に延びる青色の線１０ｃと「モドリ」の文字１０ａが描かれている。前記往き配管５及び戻り配管６は、架橋ポリエチレン、ポリブテン等の合成樹脂により形成されている。
【００２６】
上記のように構成された浴槽用循環具１１を浴槽の側壁１２に取付固定する場合には、図２（ａ）に示すように、浴槽３の側壁１２に設けられた貫通孔１３に内側から締付筒体１４をパッキン３２を嵌挿した状態で挿通し、その雄ねじ部２９を側壁１２の外側に配設された外部筒体１５の雌ねじ部２５に螺合して締付け固定する。次いで、アダプター１６の吸入用通路３５を締付筒体１４内に挿入するようにしてアダプター１６の抜け防止爪を締付筒体１４の環状係合溝３１に係合させる。このようにして、吸入用通路３５が外部筒体１５の接続口２０を介して戻り側接続部４ｂに接続されると共に、吐出用通路３４が外部筒体１５の接続口２２を介して往き側接続部４ａに接続される。
【００２７】
続いて、フィルターカバー１７をアダプター１６に固定することにより、浴槽用循環具１１が図２（ｂ）に示すように構成される。そして、戻り側接続部４ｂの継手４ｃに戻り配管６を、往き側接続部４ａの継手４ｃに往き配管５をそれぞれ接続する。その状態で、浴槽３外の給湯器７を作動させると、浴槽３内の浴槽水はフィルターカバー１７の前面から吸い込まれ、吸入用開口部３７を通って吸入用通路３５から接続口２０へ流れ、さらに戻り側接続部４ｂ、戻り配管６及び戻り側連結部８ｂを経て給湯器７へと流れる。給湯器７で加熱された加熱水は往き側連結部８ａ及び往き配管５から往き側接続部４ａへ流れ、さらに接続口２２及び吐出用通路３４を介して吐出用開口部３８から浴槽３内へ吐出される。
【００２８】
次に、前記往き側接続部４ａ及び戻り側接続部４ｂを構成する継手４ｃ及びその継手４ｃに螺合されるキャップ６０について説明する。図１（ｄ）に示すように、継手本体５１内には往き配管５又は戻り配管６が差し込まれる差込孔５２が形成されると共に、継手本体５１の下端部外周側には係合筒部５３が下方に突出形成されている。継手本体５１の内周面には一対の環状溝５４が凹設され、これら環状溝５４にはそれぞれＯリング５５が嵌着されている。そして、両Ｏリング５５によって継手本体５１の差込孔５２に差し込まれた往き配管５又は戻り配管６と継手本体５１の内周面との間の水密性が保持されるようになっている。なお、往き配管５又は戻り配管６の端部には、インコア５６が内挿されている。
【００２９】
前記係合筒部５３の内周面には、内奥部から順に開口部側ほど拡径するテーパ面５７及び開口部側が拡径する係止段部が設けられると共に、開口端部には雌ねじ溝５８が形成されている。該雌ねじ溝５８には、外周面に雄ねじ溝５９を有するキャップ６０が螺合されるように構成されている。前記係止段部とキャップ６０の内端面との間には、ステンレス鋼等の金属で形成された一対の抜け止めリング６１がスペーサの両側に介装されている。これら抜け止めリング６１の内周部にはそれぞれ抜け止め片６１ａが斜め方向（図１（ｄ）の斜め上方向）に突出形成され、差込孔５２に差し込まれた往き配管５又は戻り配管６の外周面に食い込んで往き配管５又は戻り配管６の抜け止めを行うようになっている。
【００３０】
次に、給湯器７の連結部８、まず戻り側連結部８ｂを構成する連結部本体８ｃ及びその連結部本体８ｃに螺合される継手８ｄについて説明する。なお、この継手８ｄにおいては、前記浴槽用循環具１１の接続部４を構成する継手４ｃと同じ部分については同じ符号を付して説明する。図３（ａ）に示すように、給湯器７の底面には円筒状をなす連結部本体８ｃが下方へ突設され、その外周面には雄ねじ６３が螺刻されている。一方、継手８ｄの上端部外周面にも雄ねじ部６４が螺刻されている。そして、連結部本体８ｃの下端面と継手８ｄの上端面とがパッキン６５を介して突き合わせた状態で、ナット６２の雌ねじ６６が連結部本体８ｃの雄ねじ６３及び継手８ｄの雄ねじ部６４に螺合されることにより、連結部本体８ｃに継手８ｄが取付けられるようになっている。
【００３１】
継手８ｄを構成する継手本体５１内の下半部には戻り配管６が差し込まれる差込孔５２が形成されると共に、継手本体５１の下端部外周側には係合筒部５３が下方に突出形成されている。継手本体５１の内周面には一対の環状溝５４が凹設され、これら環状溝５４にはＯリング５５が嵌着されている。そして、両Ｏリング５５によって継手本体５１の差込孔５２に差し込まれた戻り配管６と継手本体５１の内周面との間の水密性が保持されている。なお、戻り配管６の端部には、インコア５６が内挿されている。
【００３２】
前記係合筒部５３の内周面には、内奥部から順に開口部側ほど拡径するテーパ面５７及び開口部側が拡径する係止段部が設けられると共に、開口端部には雌ねじ溝５８が形成されている。該雌ねじ溝５８には、外周面に雄ねじ溝５９を有するキャップ６０が螺合されている。前記係止段部とキャップ６０の内端面との間には、ステンレス鋼等の金属で形成された一対の抜け止めリング６１がスペーサの両側に介装されている。これら抜け止めリング６１の内周部にはそれぞれ抜け止め片６１ａが斜め方向（図３（ａ）の斜め上方向）に突出形成され、差込孔５２に差し込まれた戻り配管６の外周面に食い込んで戻り配管６の抜け止めを行うようになっている。
【００３３】
そして、前記連結部本体８ｃ側（ナット６２の外周面）には表示部１０として〇付きの戻の文字１０ａが描かれていると共に、継手本体５１外周の環状凹部５１ａには図１（ｃ）に示すような青色に着色されたＣリング１０ｂが装着されている。さらに、戻り側連結部８ｂの継手８ｄに接続される戻り配管６の外周面には、表示部１０として配管の長さ方向に延びる青色の線１０ｃと「モドリ」の文字１０ａが描かれている。
【００３４】
一方、図３（ｂ）に示すように、往き側連結部８ａを構成する連結部本体８ｃ及びその連結部本体８ｃに螺合される継手８ｄの構造は前記戻り側連結部８ｂに螺合される継手８ｄの構造と同じである。この連結部本体８ｃ側（ナット６２の外周面）には表示部１０として〇付きの往の文字１０ａが描かれていると共に、継手本体５１外周の環状凹部５１ａには赤色に着色されたＣリング１０ｂが装着されている。さらに、往き側連結部８ａの継手８ｄに接続される合成樹脂製の往き配管５の外周面には、表示部１０として配管の長さ方向に延びる赤色の線１０ｃと「イキ」の文字１０ａが描かれている。
【００３５】
次に、本実施形態の配管接続部材について作用を説明する。
さて、往き配管５及び戻り配管６を給湯器７の往き側連結部８ａ及び戻り側連結部８ｂに接続する場合には、図３（ａ）、（ｂ）に示すように、往き配管５を往き側連結部８ａを構成する継手８ｄの差込孔５２に差し込み、戻り配管６を戻り側連結部８ｂを構成する継手８ｄの差込孔５２に差し込む。このとき、往き配管５にはイキの文字１０ａと赤色の線１０ｃ、戻り配管６にはモドリの文字１０ａと青色の線１０ｃが描かれている。さらに、往き側連結部８ａの連結部本体８ｃ側（ナット６２の外周面）には〇に往の文字１０ａと継手８ｄには赤色のＣリング１０ｂ、戻り側連結部８ｂの連結部本体８ｃ側（ナット６２の外周面）には〇に戻の文字１０ａと継手８ｄには青色のＣリング１０ｂとが設けられている。従って、それらの表示部１０を明瞭に視認することができ、往き配管５を往き側連結部８ａの継手８ｄの差込孔５２に間違いなく差し込むことができると同時に、戻り配管６を戻り側連結部８ｂの継手８ｄの差込孔５２に間違いなく差し込むことができる。
【００３６】
一方、往き配管５及び戻り配管６を浴槽用循環具１１の往き側接続部４ａ及び戻り側接続部４ｂに接続する場合には、図１（ｂ）及び（ｄ）に示すように、往き配管５を往き側接続部４ａを構成する継手４ｃの差込孔５２に差し込み、戻り配管６を戻り側接続部４ｂを構成する継手４ｃの差込孔５２に差し込む。このとき、往き配管５にはイキの文字１０ａと赤色の線１０ｃ、戻り配管６にはモドリの文字１０ａと青色の線１０ｃが描かれている。さらに、往き側接続部４ａを構成する継手４ｃには〇に往の文字１０ａが描かれ、往き側接続部４ａを構成するキャップ６０には赤色のＣリング１０ｂが装着されると共に、戻り側接続部４ｂを構成する継手４ｃには〇に戻の文字１０ａが描かれ、戻り側接続部４ｂを構成するキャップ６０には青色のＣリング１０ｂが装着されている。従って、それらの表示部１０を明瞭に視認することができ、往き配管５を往き側接続部４ａの継手４ｃの差込孔５２に間違いなく差し込むことができると同時に、戻り配管６を戻り側接続部４ｂの継手４ｃの差込孔５２に間違いなく差し込むことができる。
【００３７】
このようにして、往き配管５の両端部を往き側連結部８ａ及び往き側接続部４ａに正しく接続することができ、戻り配管６の両端部を戻り側連結部８ｂ及び戻り側接続部４ｂに正しく接続することができ、配管接続部材の施工を速やかに完了することができる。
【００３８】
以上の実施形態によって発揮される効果について、以下にまとめて記載する。
・  実施形態における配管接続部材においては、浴槽用循環具１１の往き側接続部４ａ及び戻り側接続部４ｂと、給湯器７の往き側連結部８ａ及び戻り側連結部８ｂとが給湯器７から加熱水を送り出す往き配管５及び給湯器７へ浴槽水を戻す戻り配管６で接続される。そして、浴槽用循環具１１の往き側接続部４ａ及び戻り側接続部４ｂ、給湯器７の往き側連結部８ａ及び戻り側連結部８ｂ、さらには往き配管５及び戻り配管６には、往き又は戻りであることを示す表示部１０が設けられている。このため、これらの表示部１０により往き又は戻りであることを容易に認識することができる。
【００３９】
従って、給湯器７の往き側連結部８ａ及び戻り側連結部８ｂ並びに浴槽用循環具１１の往き側接続部４ａ及び戻り側接続部４ｂに対する往き配管５及び戻り配管６の接続を迷うことなく、正確かつ速やかに行うことができる。よって、浴槽用循環具１１の一対の配管接続（屋内側）と給湯器７の一対の配管接続（屋外側）とが異なる時期に行われる場合や、浴槽用循環具１１の一対の配管接続（屋内側）と給湯器７の一対の配管接続（屋外側）とを行う施工者が異なる場合であっても、往き配管５及び戻り配管６の施工ミスを回避することができる。
【００４０】
・  前記表示部１０は往き又は戻りであることを色で示す合成樹脂製のＣリング１０ｂであることにより、表示部１０としてのＣリング１０ｂを浴槽用循環具１１の往き側接続部４ａ及び戻り側接続部４ｂ、給湯器７の往き側連結部８ａ及び戻り側連結部８ｂ又は往き側配管５及び戻り配管６に容易に取着することができる。
【００４１】
・  表示部１０は文字１０ａ若しくは記号１０ｄ又は往き若しくは戻りであることを色で示す線１０ｃであることにより、表示部１０の種類によって認識性を向上させることができる。
【００４２】
・  浴槽用循環具１１の一対の往き側接続部４ａ、戻り側接続部４ｂ及び給湯器７の一対の往き側連結部８ａ、戻り側連結部８ｂの表示部１０は、往き又は戻りであることを色で示すＣリング１０ｂである。さらに、往き配管５及び戻り配管６の表示部１０は、文字１０ａ若しくは記号１０ｄ又は往き若しくは戻りであることを色で示す線１０ｃである。このため、浴槽用循環具１１の接続部４及び給湯器７の連結部８をＣリング１０ｂの色で認識し、往き配管５及び戻り配管６を文字１０ａ、記号１０ｄ又は線１０ｃの色で認識することができ、認識性を一層向上させることができる。
【００４３】
なお、本実施形態は、次のように変更して具体化することも可能である。
〇  図５（ａ）に示すように、表示部１０として、往き側接続部４ａの継手４ｃの外面に〇に上向きの矢印の記号１０ｄを設け、戻り側接続部４ｂの継手４ｃの外面に〇に下向きの矢印の記号１０ｄを設けることができる。
【００４４】
〇  図５（ｂ）に示すように、表示部１０として、往き側接続部４ａの継手４ｃの外面に〇にＩＮの文字１０ａを設け、戻り側接続部４ｂの継手４ｃの外面に〇にＯＵＴの文字１０ａを設けることができる。さらに、往き配管５の外周面に赤色の螺旋状をなす線１０ｃを形成すると共に、戻り配管６の外周面に青色の螺旋状をなす線１０ｃを形成することができる。
【００４５】
〇  図６（ａ）に示すように、表示部１０として、戻り側連結部８ｂの連結部本体８ｃ側におけるナット６２の外面に〇に上向きの矢印の記号１０ｄを設けると共に、戻り配管６の外周面に赤色の線１０ｃを配管の軸線方向と直交する方向に一定間隔をおいて形成することができる。
【００４６】
〇  図６（ｂ）に示すように、表示部１０として、往き側連結部８ａの連結部本体８ｃ側におけるナット６２の外面に〇に下向きの矢印の記号１０ｄを設けると共に、往き配管５の外周面に赤色の線１０ｃを配管の軸線方向と直交する方向に一定間隔をおいて形成することができる。
【００４７】
〇  表示部１０を、浴槽用循環具１１の往き側接続部４ａ及び戻り側接続部４ｂの一方のみ、給湯器７の往き側連結部８ａ及び戻り側連結部８ｂの一方のみ、往き配管５及び戻り配管６の一方のみに設けることができる。さらに、そのような形態を適宜組合せて構成することもできる。
【００４８】
〇  前記往き側のみに表示部１０を設けて往き側であることを示したり、戻り側のみに表示部１０を設けて戻り側であることを示したりすることも可能である。
〇  前記往き側の表示部１０を全て赤色に設定し、戻り側の表示部１０を全て青色に設定し、往き側又は戻り側であることを明瞭に視認することができるように構成することもできる。
【００４９】
〇  往き側の表示部１０の色を橙色、桃色等に変更したり、戻り側の表示部１０の色を緑色、紺色等に変更したりすることもできる。
〇  表示部１０として、開閉可能に構成され、着色が施されたクリップ等を使用することもできる。
【００５０】
〇  前記浴槽用循環具１１として無極性のもの、すなわち往き側連結部８ａ及び往き側接続部４ａに対する往き配管５の接続及び戻り側連結部８ｂ及び戻り側接続部４ｂに対する戻り配管６の接続が定められていないタイプのものを使用することもできる。
【００５１】
さらに、前記実施形態より把握できる技術的思想について以下に記載する。
・  前記Ｃリングは、合成樹脂により変形可能に構成されていることを特徴とする請求項４に記載の配管接続部材。このように構成した場合、請求項４に係る発明の効果に加えて、Ｃリングの装着性を向上させることができる。
【００５２】
・  前記往き側及び戻り側は、表示部の色によって区別されていることを特徴とする請求項２から請求項５のいずれか１項に記載の配管接続部材。このように構成した場合、請求項２から請求項５のいずれかに係る発明の効果に加えて、表示部の色により往き側及び戻り側を明瞭に認識することができる。
【００５３】
・  前記連結部を、給湯器に一体的に形成される連結部本体と、該連結部本体に取付けられる継手とにより構成し、前記連結部本体及び継手の少なくとも一方に表示部を備えることを特徴とする請求項１から請求項５のいずれか１項に記載の配管接続部材。このように構成した場合、請求項１から請求項５のいずれかに係る発明の効果を発揮することができると共に、連結部本体と継手の双方に表示部を設けた場合にはそれらの表示部によって往き側及び戻り側であることを一層明瞭に認識することができる。
【図面の簡単な説明】
【００５４】
【図１】（ａ）は浴槽用循環具を示す正面図、（ｂ）は浴槽用循環具を示す左側面図、（ｃ）はＣリングを示す正面図及び（ｄ）は往き側接続部の継手を示す部分破断正面図。
【図２】（ａ）は浴槽用循環具を分解して示す要部破断正面図、（ｂ）は浴槽用循環具の組付け状態を示す要部破断正面図。
【図３】（ａ）は給湯器の戻り側連結部を示す部分破断正面図及び（ｂ）は往き側連結部を示す部分破断正面図。
【図４】給湯器、浴槽及びそれらを接続する配管を示す斜視図。
【図５】（ａ）及び（ｂ）は本発明の別例を表し、浴槽用循環具を示す左側面図。
【図６】（ａ）及び（ｂ）は本発明の別例を表し、（ａ）は給湯器の戻り側連結部を示す部分破断正面図及び（ｂ）は往き側連結部を示す部分破断正面図。
【符号の説明】
【００５５】
３…浴槽、４…接続部、４ａ…往き側接続部、４ｂ…戻り側接続部、４ｃ…接続部を構成する継手、５…往き配管、６…戻り配管、７…給湯器、８…連結部、８ａ…往き側連結部、８ｂ…戻り側連結部、８ｃ…連結部を構成する連結部本体、８ｄ…連結部を構成する継手、１０…表示部、１０ａ…文字、１０ｂ…Ｃリング、１０ｃ…線、１０ｄ…記号、１１…浴槽用循環具、１２…側壁、６０…接続部を構成するキャップ。
【図１】
2009228963.tif 000003
【図２】
2009228963.tif 000004
【図３】
2009228963.tif 000005
【図４】
2009228963.tif 000006
【図５】
2009228963.tif 000007
【図６】
2009228963.tif 000008